(57)【要約】【課題】植物を容易に増殖させることができるとともに、果物類などの季節商品を鉢物として市場に出荷する農業生産商品造りと、観賞用植物の枝分けを容易にする増殖用植木鉢およびこれを使用した植物の増殖方法を提供する。【解決手段】本発明の増殖用植木鉢１は、堆肥を収容する本体部２と、該本体部２の底部略中央に形成された貫通孔４と、前記本体部２の上端部から前記貫通孔４まで延在する分割部５と、該分割部５を閉じる固定具６とを、備える。本発明の植物の増殖方法は、上記の増殖用植木鉢１を植物の幹または枝の周囲に装着し、前記本体部２内に堆肥を収容し、植物の幹または枝から根が張り出した後、前記幹保持部３の下方の幹または枝を切り離す。【選択図】図１
2007282509.tif 000002
【特許請求の範囲】
【請求項１】
堆肥を収容する本体部と、該本体部の底部略中央に形成された貫通孔と、前記本体部の上端部から前記貫通孔まで延在する分割部と、該分割部を閉じる固定具とを、備えることを特徴とする増殖用植木鉢。
【請求項２】
前記貫通孔の下方に幹保持部を有する請求項１記載の増殖用植木鉢。
【請求項３】
前記本体部の上部に、吊下紐または支柱棒を嵌通させる開孔部を有する請求項１または２記載の増殖用植木鉢。
【請求項４】
前記本体部の底部に、支柱棒を嵌通させる開孔部を有する請求項３記載の増殖用植木鉢。
【請求項５】
請求項１〜４のうちいずれか一項記載の増殖用植木鉢を植物の幹または枝の周囲に装着し、前記本体部内に堆肥を収容し、植物の幹または枝から根が張り出した後、前記幹保持部の下方の幹または枝を切り離すことを特徴とする植物の増殖方法。
【請求項６】
前記増殖用植木鉢に対し、連続的に水を供給する請求項５記載の植物の増殖方法。
【請求項７】
水を収容する容器と、該容器の底部から鉢まで水を供給する糸とを具備する水供給手段により前記増殖用植木鉢に水を供給する請求項６記載の植物の増殖方法。
【発明の詳細な説明】
【技術分野】
【０００１】
本発明は、増殖用植木鉢およびこれを使用した植物の増殖方法に関し、詳しくは、植物を容易に増殖させることができるとともに、果物類などの季節商品を鉢物として市場に出荷する農業生産商品造りや、観賞用植物の枝分けを容易にする増殖用植木鉢およびこれを使用した植物の増殖方法に関する。
【背景技術】
【０００２】
従来より、種々のタイプの植木鉢が提案されており、そのような中で、鉢植えの植物の根や葉を傷めずに、植え替を短時間で簡単に行なえるようにするための分割式植木鉢が提案されている（例えば、特許文献１参照）。上掲特許文献１記載の分割式植木鉢は、鉢を分割して製作し、その合せ目の部分をネジや他の固定具を用いて結合し、１つの鉢を形成するものである。
【特許文献１】登録実用第３００２２１６号公報
【発明の開示】
【発明が解決しようとする課題】
【０００３】
従来、上掲特許文献１記載の分割式植木鉢にかぎらず、一般に知られている植木鉢においては、観賞用植物から枝分けした植物の増殖を容易にするために工夫されたものはなく、上掲特許文献１記載の分割式植木鉢においても、鉢植え植物の植え替え時における利便性を高めることを目的とし、植物の増殖を目的としたものではない。また、果物類などの季節商品を鉢物のままで市場に出荷するといった、農業生産商品造りを容易に行うことができる植木鉢についても、これまで増殖を目的としたものは報告されていなかった。
【０００４】
そこで本発明の目的は、植物を容易に増殖させることができるとともに、果物類などの季節商品を鉢物として市場に出荷する農業生産商品造りと、観賞用植物の枝分けを容易にする増殖用植木鉢およびこれを使用した植物の増殖方法を提供することにある。
【課題を解決するための手段】
【０００５】
本発明者は、上記課題を解決すべく鋭意検討した結果、所定形態の植木鉢を形成し、これを使用することにより上記目的を達成し得ることを見出し、本発明を完成するに至った。
【０００６】
即ち、本発明の増殖用植木鉢は、堆肥を収容する本体部と、該本体部の底部略中央に形成された貫通孔と、前記本体部の上端部から前記貫通孔まで延在する分割部と、該分割部を閉じる固定具とを、備えることを特徴とするものである。
【０００７】
本発明の増殖用植木鉢は、前記貫通孔の下方に幹保持部を有することが好ましい。また、前記本体部の上部に、吊下紐または支柱棒を嵌通させる開孔部を有することが好ましく、さらに、前記本体部の底部にも、支柱棒を嵌通させる開孔部を有することが好ましい。
【０００８】
本発明の植物の増殖方法は、上記増殖用植木鉢を植物の幹または枝の周囲に装着し、前記本体部内に堆肥を収容し、植物の幹または枝から根が張り出した後、前記幹保持部の下方の幹または枝を切り離すことを特徴とするものである。また、前記増殖方法は、前記増殖用植木鉢に対し、水供給手段により連続的に水を供給することができ、水を収容する容器と、該容器の底部から鉢まで水を供給する糸とを具備する水供給手段により好適に前記増殖用植木鉢に水を供給することができる。
【発明の効果】
【０００９】
本発明の増殖用植木鉢によれば、堆肥を収容する本体部と、該本体部の底部略中央に形成された貫通孔と、前記本体部の上端部から前記貫通孔まで延在する分割部と、該分割部を閉じる固定具とを備えた簡易な構造からなり、製造コスト的には通常の植木鉢と同等またはそれ以下である。また、植物の幹や枝への装着および取外し作業が容易であり、高い利便性を有する。さらに、本体部の上部や底部に、吊下紐または支柱棒を嵌通させる開孔部を設けることにより、吊下紐または支柱棒を介して増殖用植木鉢が植物の幹や枝へ強固に保持される。
【００１０】
本発明の植物の増殖方法によれば、増殖用植木鉢を植物の幹または枝の周囲に装着し、本体部に堆肥を施すことで、植物の幹または枝の周囲から新しい根が張り出す。その後、増殖用植木鉢の幹保持部の下方の幹または枝を切り離したものを、汎用の植木鉢に植え替えることで、植物を枝分けして容易に増殖させることができる。また、果物類などの季節商品を鉢物として市場に出荷する農業生産商品造りを容易に行うことができる。さらに、水を収容する容器底部から鉢まで糸への浸透にて植木鉢に水を供給することで、鉢内に連続的かつ緩徐に水を供給することができ、これにより堆肥を乾燥させることがなく、また、作業性が向上し、容易に増殖管理を行うことができる。
【発明を実施するための最良の形態】
【００１１】
以下に、図面を参照して本発明の増殖用植木鉢およびこれを使用した植物の増殖方法の実施の形態について説明する。
図示する本発明の好適一実施形態に係る増殖用植木鉢１は、植物の幹または枝の周囲に装着して使用するもので、堆肥を収容する本体部２と、本体部の底部略中央に形成された貫通孔４と、本体部２の上端部から貫通孔４まで延在する分割部６と、分割部６を閉じる固定具５と、貫通孔４の下方に形成された幹保持部３とを備える。
【００１２】
増殖用植木鉢１は筒状体を呈しており、本体部２上部は開設され、本体部２下部は湾曲テーパー状に形成されている。また、本体部２の底部には、幹Ａを包囲する小径円筒状の幹保持部３が形成されている。尚、増殖用植木鉢１は植物の幹または枝および堆肥を収容できる形状であれば特に制限されるものではない。
【００１３】
増殖用植木鉢１の分割部５は本体部２に一箇所形成されており、この分割部５を押し広げることにより増殖用植木鉢１を植物の幹または枝の周囲に装着させる。図２に示すように、本体部２を垂直方向に切断して二箇所とすることができる。なお、分割部５は本体部２の上端部から貫通孔４まで延在するものであればよく、垂直方向に限定されるものではない。
【００１４】
増殖用植木鉢１の分割部５は固定具６にて固定する。この固定具６は作業性やコスト面を考慮した場合、市販のガムテープやナイロンテープ等を使用することが好ましい。
【００１５】
増殖用植木鉢１は、図示する形状に樹脂成形して製造する他、汎用の廃棄苗用ポットやペットボトル等の可撓性材料を利用して形成することができる。これら汎用の廃棄苗用ポットやペットボトルを再利用した場合、製造コストを大幅に削減することができる。
【００１６】
本発明の増殖用植木鉢の他の好適な実施形態としては、図３に示すように、本体部２の上部に、吊下紐８または支柱棒１１を嵌通させる開孔部７を設けてもよい。かかる開孔部７は本体部２上部側面に複数穿孔されており、紐や針金等の吊下紐８を開孔部７に通して支柱や枝に吊着して、増殖用植木鉢１を保持する。また、図４に示すように、本体部２の底部に支柱棒１１を嵌通させる開孔部１０を設けてもよい。この場合、開孔部７および開孔部１０に支柱棒１１を嵌通させることにより、増殖用植木鉢１を保持する。幹保持部３が植物の幹や枝に対して大きく形成されていた場合に有効である。なお、開孔部７および開孔部１０の個数については特に限定されないが、少なくとも２個以上穿設されていることが好ましい。
【００１７】
次に、本発明の植物の増殖方法を図面に基づいて説明する。
先ず、増殖する植物、例えば、りんご、ぶどう、梨、蜜柑、桃等の果物類や観賞用ゴムの木の幹Ａや枝の周囲に増殖用植木鉢１を装着すべく、幹保持部３にて幹Ａを包囲し、固定具６で分割部５を固定する。次に、吊下紐８にて増殖用植木鉢１を吊着し、開設された本体部２の上部より堆肥Ｂを投入する。その後、水や肥料を与え、増殖用植木鉢１内の幹Ａの周囲から新しい根ａを張り出させ、植替えに適した状態、例えば、実のなり始めた状態になったら、図５（ａ）に示すように、幹保持部３の直下の幹Ａを切り離し、汎用の植木鉢に植え替える（図５（ｂ））。このようにして、新たな観賞用植物を容易に増殖することができる。増殖後の観賞用植物は鉢物としてそのまま市場に出荷することができ、特に果物類においては、鉢物として出荷する方が収穫した果物を出荷するよりも収益性が高くなる。
【００１８】
また、本発明の植物の増殖方法においては、図６に示すように、水ｗを収容する容器１２内の水ｗを、容器１２の底部から増殖用植木鉢まで延在する糸１４を介して連続的に増殖用植木鉢に供給することができる。
【００１９】
容器１２は、例えば、蓋１３を有する汎用のペットボトル等を利用することができる。また、蓋１３の中央部分には、たこ糸等の天然または合成有機繊維からなる糸１４を挿入保持させる開孔部が穿孔されている。かかる開孔部に適宜長さの糸１４を挿入し、この蓋１３を容器１２に装着した後、例えば、容器１２を吊下具１５にて逆さ状態に吊り下げ、容器１２内に水ｗを満たす。次いで、糸１４の先端を鉢内の堆肥Ｂ内まで延存させる。すると、容器１２の水ｗは毛管現象により糸１４に浸透して、鉢内にゆっくり水ｗを供給することができ、その結果、作業性が向上し、容易に増殖管理を行うことができるようになる。
【００２０】
また、図７に示すように、一本の鑑賞用ゴムの木の幹Ａに、三個の増殖用植木鉢１を装着し、堆肥を投入して根が張り出した後、夫々の幹保持部３直下の幹Ａを切り離すことにより、一度に三本の観賞用植物を生産することができる。
【００２１】
さらに、接木した部分に本発明の植物の増殖方法を施すことにより、品種の違う観賞用植物を作り出すことも可能である。
【図面の簡単な説明】
【００２２】
【図１】本発明の好適一実施の形態である増殖用植木鉢を示す全体斜視図である。
【図２】前記増殖用植木鉢を二分割した状態を示す全体斜視図である。
【図３】前記増殖用植木鉢を幹の周囲に装着した状態を示す全体斜視図である。
【図４】前記増殖用植木鉢を幹の周囲に装着した状態を示す全体斜視図である。
【図５】本発明の好適一実施の形態である植物の増殖方法を示す断面図である。
【図６】他の好適一実施の形態である植物の増殖方法を示す正面図である。
【図７】他の好適一実施の形態である植物の増殖方法を示す正面図である。
【符号の説明】
【００２３】
１  増殖用植木鉢
２  本体部
３  幹保持部
４  貫通孔
５  分割部
６  固定具
７  開孔部
８  吊下紐
９  植木鉢
１０  開孔部
１１  支柱棒
１２  容器
１３  蓋
１４  糸
１５  吊下具
Ａ  幹  
Ｂ  堆肥
ａ  根
ｗ  水
【図１】
2007282509.tif 000003
【図２】
2007282509.tif 000004
【図３】
2007282509.tif 000005
【図４】
2007282509.tif 000006
【図５】
2007282509.tif 000007
【図６】
2007282509.tif 000008
【図７】
2007282509.tif 000009